(57)【特許請求の範囲】
【請求項１】
基地局を介して無線公衆網を用いて通信する第一の無線通信と、無線ＬＡＮアクセスポイントを介して前記無線公衆網より狭い範囲の無線ＬＡＮ通信網を用いて通信する第二の無線通信とを行う無線通信装置において、
前記基地局から送られてくる位置情報と、前記基地局の通信エリア内における無線ＬＡＮアクセスポイント情報である無線ＬＡＮプロファイルとを対応付けて記憶する記憶部と、
前記基地局から受信した自らの現在位置情報を保持する保持部と、
前記保持部に保持された前記現在位置情報に対応する無線ＬＡＮプロファイルを前記記憶部から読み出して設定する設定部と、
前記無線ＬＡＮアクセスポイントにおける通信圏外にいる場合、前記設定部が設定した無線ＬＡＮプロファイルをスキャンするスキャン部と、
前記無線ＬＡＮアクセスポイントにおける通信圏内のまま前記基地局の通信エリアが変更した場合、変更した位置情報と前記無線ＬＡＮアクセスポイントの無線ＬＡＮプロファイルとを登録する登録部を備えることを特徴とする無線通信装置。
【請求項２】
前記保持部によって取得された前記現在位置情報に対応する無線ＬＡＮプロファイルが前記記憶部に記憶されておらず、前記無線ＬＡＮアクセスポイント範囲外にいる場合には、前記第二の無線通信用の電源をオフにするように制御する制御部をさらに備えることを特徴とする請求項１に記載の無線通信装置。
【請求項３】
前記記憶部は、前記位置情報と、前記基地局の通信エリア内における無線ＬＡＮアクセスポイント情報である無線ＬＡＮプロファイル内の通信チャネル単位で対応付けて記憶することを特徴とする請求項１または２に記載の無線通信装置。
【請求項４】
前記スキャン部は、前記無線ＬＡＮアクセスポイント通信圏内から通信圏外になる場合に、スキャン動作の間隔を最初短くし、その後徐々に長くなるように、前記無線ＬＡＮプロファイルをスキャンし、また、前記無線ＬＡＮアクセスポイント通信圏外の状態で、前記保持部によって取得された現在位置情報が変更になり、前記現在位置情報に対応した無線ＬＡＮプロファイルが前記記憶部に記憶されている場合には、スキャン動作の間隔を最初から長くなるように、前記無線ＬＡＮプロファイルをスキャンすることを特徴とする請求項１〜３のいずれか一つに記載の無線通信装置。
【請求項５】
前記スキャン部は、無線ＬＡＮアクセスポイント通信圏外になった場合に、前記無線ＬＡＮアクセスポイント通信圏外直前の無線ＬＡＮプロファイルが所属する基地局に対応付けられて記憶されたプロファイルのみをスキャンすることを特徴とする請求項１〜４のいずれか一つに記載の無線通信装置。
【請求項６】
基地局を介して無線公衆網を用いて通信する第一の無線通信と、無線ＬＡＮアクセスポイントを介して前記無線公衆網より狭い範囲の無線ＬＡＮ通信網を用いて通信する第二の無線通信とを行うとともに、前記基地局から送られてくる位置情報と、前記基地局の通信エリア内における無線ＬＡＮアクセスポイント情報である無線ＬＡＮプロファイルとを対応付けて記憶する記憶部と、前記基地局から受信した自らの現在位置情報を保持する保持部とを有する無線通信装置の制御方法において、
前記無線通信装置が、
前記保持部に保持された前記現在位置情報に対応する無線ＬＡＮプロファイルを前記記憶部から読み出して設定し、
前記無線ＬＡＮアクセスポイントにおける通信圏外にいる場合、設定した無線ＬＡＮプロファイルをスキャンし、
前記無線ＬＡＮアクセスポイントにおける通信圏内のまま前記基地局の通信エリアが変更した場合、変更した位置情報と前記無線ＬＡＮアクセスポイントの無線ＬＡＮプロファイルとを登録することを特徴とする無線通信装置の制御方法。
【請求項７】
基地局を介して無線公衆網を用いて通信する第一の無線通信と、無線ＬＡＮアクセスポイントを介して前記無線公衆網より狭い範囲の無線ＬＡＮ通信網を用いて通信する第二の無線通信とを行うとともに、前記基地局から送られてくる位置情報と、前記基地局の通信エリア内における無線ＬＡＮアクセスポイント情報である無線ＬＡＮプロファイルとを対応付けて記憶する記憶部と、前記基地局から受信した自らの現在位置情報を保持する保持部とを有する無線通信装置の制御プログラムにおいて、
前記無線通信装置に、
前記保持部に保持された前記現在位置情報に対応する無線ＬＡＮプロファイルを前記記憶部から読み出して設定させ、
前記無線ＬＡＮアクセスポイントにおける通信圏外にいる場合、設定した無線ＬＡＮプロファイルをスキャンさせ、
前記無線ＬＡＮアクセスポイントにおける通信圏内のまま前記基地局の通信エリアが変更した場合、変更した位置情報と前記無線ＬＡＮアクセスポイントの無線ＬＡＮプロファイルとを登録させることを特徴とする無線通信装置の制御プログラム。
【請求項８】
基地局を介して無線公衆網を用いて通信する第一の無線通信と、無線ＬＡＮアクセスポイントを介して前記無線公衆網より狭い範囲の無線ＬＡＮ通信網を用いて通信する第二の無線通信とを行う無線通信装置において、
前記基地局から送られてくる位置情報と、前記基地局の通信エリア内における無線ＬＡＮアクセスポイント情報である無線ＬＡＮプロファイルとを対応付けて記憶する記憶部と、
前記基地局から受信した自らの現在位置情報を保持する保持部と、
前記保持部に保持された前記現在位置情報に対応する無線ＬＡＮプロファイルを前記記憶部から読み出して設定する設定部と、
前記無線ＬＡＮアクセスポイントからの受信強度が、ある閾値以下に低下した場合、前記設定部が設定した無線ＬＡＮプロファイルをスキャンするスキャン部と、
前記無線ＬＡＮアクセスポイントからの受信強度が前記閾値より高い状態で前記基地局の通信エリアが変更した場合、変更した位置情報と前記無線ＬＡＮアクセスポイントの無線ＬＡＮプロファイルとを登録する登録部を備えることを特徴とする無線通信装置。
【請求項９】
前記スキャン部は、前記無線ＬＡＮアクセスポイントからの受信強度が、ある閾値以下に低下した場合に、前記無線ＬＡＮアクセスポイント受信強度低下の直前の無線ＬＡＮプロファイルが所属する基地局に対応付けられて記憶されたプロファイルのみをスキャンすることを特徴とする請求項８に記載の無線通信装置。
【請求項１０】
前記無線ＬＡＮアクセスポイントからの受信強度の閾値を、現在接続中のアクセスポイントがあり、別のアクセスポイントを探索するスキャン動作を開始する受信強度レベルとすることを特徴とする請求項８または９に記載の無線通信装置。
【請求項１１】
前記無線ＬＡＮアクセスポイントからの受信強度の閾値を、現在接続中のアクセスポイントとの通信の継続を維持できない受信強度レベルとすることを特徴とする請求項８または９に記載の無線通信装置。
【請求項１２】
基地局を介して無線公衆網を用いて通信する第一の無線通信と、無線ＬＡＮアクセスポイントを介して前記無線公衆網より狭い範囲の無線ＬＡＮ通信網を用いて通信する第二の無線通信とを行うとともに、前記基地局から送られてくる位置情報と、前記基地局の通信エリア内における無線ＬＡＮアクセスポイント情報である無線ＬＡＮプロファイルとを対応付けて記憶する記憶部と、前記基地局から受信した自らの現在位置情報を保持する保持部とを有する無線通信装置の制御方法において、
前記無線通信装置が、
前記保持部に保持された前記現在位置情報に対応する無線ＬＡＮプロファイルを前記記憶部から読み出て設定し、
前記無線ＬＡＮアクセスポイントからの受信強度が、ある閾値以下に低下した場合、設定した無線ＬＡＮプロファイルをスキャンし、
前記無線ＬＡＮアクセスポイントからの受信強度が前記閾値より高い状態で前記基地局の通信エリアが変更した場合、変更した位置情報と前記無線ＬＡＮアクセスポイントの無線ＬＡＮプロファイルとを登録することを特徴とする無線通信装置の制御方法。
【請求項１３】
基地局を介して無線公衆網を用いて通信する第一の無線通信と、無線ＬＡＮアクセスポイントを介して前記無線公衆網より狭い範囲の無線ＬＡＮ通信網を用いて通信する第二の無線通信とを行うとともに、前記基地局から送られてくる位置情報と、前記基地局の通信エリア内における無線ＬＡＮアクセスポイント情報である無線ＬＡＮプロファイルとを対応付けて記憶する記憶部と、前記基地局から受信した自らの現在位置情報を保持する保持部とを有する無線通信装置の制御プログラムにおいて、
前記無線通信装置に、
前記保持部に保持された前記現在位置情報に対応する無線ＬＡＮプロファイルを前記記憶部から読み出して設定させ、
前記無線ＬＡＮアクセスポイントからの受信強度が、ある閾値以下に低下した場合、設定した無線ＬＡＮプロファイルをスキャンさせ、
前記無線ＬＡＮアクセスポイントからの受信強度が前記閾値より高い状態で前記基地局の通信エリアが変更した場合、変更した位置情報と前記無線ＬＡＮアクセスポイントの無線ＬＡＮプロファイルとを登録させることを特徴とする無線通信装置の制御プログラム。
【発明の詳細な説明】
【技術分野】
【０００１】
この発明は、無線公衆網で基地局を介して通信する第一の無線通信と、当該無線公衆網より狭い範囲の無線ＬＡＮ通信網で無線ＬＡＮアクセスポイントを介して通信する第二の無線通信とを行う無線通信端末、無線通信端末制御方法および無線通信端末制御プログラムに関する。
【背景技術】
【０００２】
従来より、広域な公衆網（例えば、ＦＯＭＡ）と、ＷＬＡＮ等の狭い範囲の無線通信網とを備えた携帯電話（例えば、ＦＭＣ端末、デュアル端末）が知られている。このような携帯電話において、ＷＬＡＮ−ＡＰ（アクセスポイント）の通信エリア内では、データ通信およびＶｏＩＰでの通話を行うか、あるいはデータ通信の無い場合やＶｏＩＰによる通話が無い場合には、Ｂｅａｃｏｎ受信動作を行っている。また、ＷＬＡＮ−ＡＰのエリア外（ＷＬＡＮ圏外）では、Ｂｅａｃｏｎの受信動作は止めて、定期的にＷＬＡＮエリアのスキャン動作を行っている（図１９参照）。なお、このスキャン動作は、ＷＬＡＮ−ＡＰエリアに入って、直ちに接続できるように、スキャン間隔は短く設定されている。
【０００３】
携帯端末がＷＬＡＮ−ＡＰエリア外に在るときに、手動でＷＬＡＮの電源をＯＦＦにすることができるが、ＷＬＡＮ−ＯＦＦを忘れた場合には、スキャン動作が発生して、不要な電力が消費されてしまう（図２０参照）。例えばＷＬＡＮ−ＯＦＦにせずに出張に出て、知らないうちスキャン動作で電力を消費して、電話として使用できなくなってしまう可能性がある。
【０００４】
そこで、不要なスキャン動作を解決する技術として、特許文献１では、端末に非接触ＩＣカードを付け、入退出管理装置（カードリーダ装置）を設けて、退出時にＩＣカード情報を書き換えることで、ＷＬＡＮ−ＯＦＦにする方法が開示されている。また、特許文献２では、携帯電話基地局が、基地局内の無線ＬＡＮ基地局情報を端末へ通知することで、ＷＬＡＮのＯＮ／ＯＦＦを行う方法が開示されている。
【０００５】
また、不要なスキャン動作を解決する技術として、特許文献３では、スキャン間隔を徐々に広げて、回数を減らして消費電力を抑える方法が開示されている。また、特許文献４では、ＧＰＳを使って位置情報を取得してＷＬＡＮエリアを特定してＯＮ／ＯＦＦする方法がある。
【先行技術文献】
【特許文献】
【０００６】
【特許文献１】特開２００７−１１６２９４号公報
【特許文献２】特開２００６−２９５６４３号公報
【特許文献３】特開２００６−１３５９４号公報
【特許文献４】特開２００５−２２９３９９号公報
【発明の概要】
【発明が解決しようとする課題】
【０００７】
ところで、上記した特許文献１の技術では、入退出管理装置を設ける必要があるので、追加設備が多く、コストが掛かるという課題があった。また、上記した特許文献２の技術では、携帯電話基地局が、基地局内の無線ＬＡＮ基地局情報を端末へ通知するので、会社（法人）や個人で使用するＡＰには向かず、キャリアを含め複雑なシステム構築が必要であるという課題があった。
【０００８】
また、上記した特許文献３の技術では、スキャン間隔を徐々に広げるので、再復帰のレスポンスが悪化するという課題があった。また、上記した特許文献４の技術では、ＧＰＳを使って位置情報を取得するので、ＧＰＳによる位置検出に電力を消費してしまうという課題があった。
【０００９】
そこで、この発明は、上述した従来技術の課題を解決するためになされたものであり、より安価で簡便に実現でき、省電力効果の大きい携帯電話端末を提供することを目的とする。
【課題を解決するための手段】
【００１０】
上述した課題を解決し、目的を達成するため、この装置は、無線公衆網で基地局を介して通信する第一の無線通信と、当該無線公衆網より狭い範囲の無線ＬＡＮ通信網で無線ＬＡＮアクセスポイントを介して通信する第二の無線通信とを行う無線通信端末であって、前記基地局から送られてくる位置情報と、当該基地局の通信エリア内における無線ＬＡＮアクセスポイント情報である無線ＬＡＮプロファイルとを対応付けて記憶する基地局プロファイル記憶手段と、前記基地局から自らの現在位置情報を受信し、保存する現在位置情報取得保存手段と、前記現在位置取得保存手段によって取得された前記現在位置情報に対応する無線ＬＡＮプロファイルを前記基地局プロファイル記憶手段から読み出し、当該無線ＬＡＮプロファイルを設定する無線プロファイル設定手段と、前記無線ＬＡＮアクセスポイント通信圏外にいる場合に、前記無線プロファイル設定手段によって設定された前記無線ＬＡＮプロファイルをスキャンする無線プロファイルスキャン手段と、を備えることを要件とする。
【発明の効果】
【００１１】
開示の装置は、入退出管理装置やカードリーダ装置といった設備が不要で、更に公衆網に新たに機能追加することが無いため、安価に実現可能である。また、会社（法人）や個人のＡＰに対しても、一般のホットスポットのようなＡＰでも、その種類に依存することなく使用することが可能である。またＧＰＳによる位置検出も必要ないため、ＷＬＡＮのＯＮ／ＯＦＦ制御に対し余計な電力を消費することもないので、より安価で簡便に実現でき、省電力効果の大きい携帯電話端末を提供することができるという効果を奏する。
【図面の簡単な説明】
【００１２】
【図１】図１は、実施例１に係る携帯電話端末の概要および特徴を説明するための図である。
【図２】図２は、実施例１に係る携帯電話端末１０の構成を示すブロック図である。
【図３】図３は、公衆無線基地局ＷＬＡＮプロファイル関連テーブルの一例を示す図である。
【図４】図４は、ＷＬＡＮ圏外時のスキャンプロファイル記憶部の一例を示す図である。
【図５】図５は、操作による登録処理について説明するための図である。
【図６】図６は、位置情報登録処理を説明するための図である。
【図７】図７は、実施例１に係る携帯電話端末１０のスキャンプロファイル設定処理の動作を示すフローチャートである。
【図８】図８は、実施例１に係る携帯電話端末１０のスキャン間隔設定処理の動作を示すフローチャートである。
【図９】図９は、実施例１に係る携帯電話端末１０のプロファイル登録処理の動作を示すフローチャートである。
【図１０】図１０は、実施例２における携帯電話端末１０ａが保持する公衆無線基地局ＷＬＡＮプロファイル関連テーブル１４ｂの一例を示す図である。
【図１１】図１１は、無線チャンネル単位で登録する処理を説明するための図である。
【図１２】図１２は、実施例２に係る携帯電話端末１０ａの無線チャンネル単位での登録処理の手順を説明するためのフローチャートである。
【図１３】図１３は、テーブル自動登録の処理を説明するための図である。
【図１４】図１４は、テーブル自動登録の処理動作を示すフローチャートである。
【図１５】図１５は、スキャン間隔設定処理について説明するための図である。
【図１６】図１６は、実施例３における携帯電話端末１０ｂのＷＬＡＮ圏外後のスキャン処理を説明するための図である。
【図１７】図１７は、実施例３に係る携帯電話端末１０ｂのＷＬＡＮ圏外後のスキャン処理の手順を示すフローチャートである。
【図１８】図１８は、実施例３に係る携帯電話端末１０ｂのＷＬＡＮ圏外後の他のスキャン処理の手順を示すフローチャートである。
【図１９】図１９は、従来技術を説明するための図である。
【図２０】図２０は、従来技術を説明するための図である。
【図２１】図２１は、受信強度が低下した場合における従来の動作を説明するための図である。
【図２２】図２２は、実施例４に係る携帯電話端末の概要を説明するための図である。
【図２３】図２３は、実施例４に係る携帯電話端末１０ｃの受信強度が閾値以下に低下した場合のスキャン処理の手順を示すフローチャートである。
【発明を実施するための形態】
【００１３】
以下に添付図面を参照して、この発明に係る無線通信端末、無線通信端末制御方法および無線通信端末制御プログラムの実施例を詳細に説明する。
【実施例１】
【００１４】
以下の実施例では、実施例１に係る携帯電話端末の概要および特徴、携帯電話端末の構成および処理の流れを順に説明し、最後に実施例１による効果を説明する。なお、以下では、広域な公衆網（例えば、ＦＯＭＡ）と、ＷＬＡＮ等の狭い範囲の無線通信網とを備えた携帯電話端末として、例えば、ＦＭＣ端末やデュアル端末に適用する例を説明する。
【００１５】
［実施例１に係る携帯電話端末の概要および特徴］
まず最初に、図１を用いて、実施例１に係る携帯電話端末の概要および特徴を説明する。図１は、実施例１に係る携帯電話端末の概要および特徴を説明するための図である。
【００１６】
実施例１の携帯電話端末１０では、無線公衆網でＦＯＭＡ無線基地局２０（以下、公衆無線基地局という）を介した無線通信と、当該無線公衆網より狭い範囲のＷＬＡＮ通信網でＷＬＡＮアクセスポイントを介した無線通信とを行うことを概要とする。そして、この携帯電話端末１０では、より安価で簡便に実現でき、省電力効果の大きい携帯電話端末を提供する点に主たる特徴がある。
【００１７】
この主たる特徴について具体的に説明すると、同図に示すように、携帯電話端末１０は、基地局より取得した位置情報と、公衆無線基地局の通信エリア内における無線ＬＡＮアクセスポイント情報である無線ＬＡＮプロファイルの名前と、プロファイル内の無線チャンネルとを対応付けて記憶する公衆無線基地局ＷＬＡＮプロファイル関連テーブル１４ｂを備える。
【００１８】
このような構成のもと、携帯電話端末１０は、公衆無線基地局２０から自らの現在位置情報を受信し、保存する（図１の（１）参照）。具体的には、携帯電話端末１０は、セルラー方式により、２．５６秒ごとに、位置情報を受信し、携帯端末で記憶している情報と異なれば、端末から位置情報登録を開始する（後述する図６参照）。
【００１９】
そして、携帯電話端末１０は、取得された現在位置情報に対応するプロファイル名を公衆無線基地局ＷＬＡＮプロファイル関連テーブル１４ｂから読み出し、読み出されたＷＬＡＮプロファイルをスキャンプロファイルとして設定する（図１の（２）参照）。
【００２０】
その後、携帯電話端末１０は、無線ＬＡＮアクセスポイント通信圏外であるＷＬＡＮ圏外時に、設定されたＷＬＡＮプロファイルをスキャンする（図１の（３）参照）。つまり、図１の例を用いて説明すると、公衆無線基地局「Ａ」内では、「Ｐｒｏｆｉｌｅ１」および「Ｐｒｏｆｉｌｅ２」をスキャンし、公衆無線基地局「Ｂ」内では、「Ｐｒｏｆｉｌｅ３」のみをスキャンする。
【００２１】
また、携帯電話端末１０は、ＷＬＡＮ圏外時であって、公衆無線基地局ＷＬＡＮプロファイル関連テーブル１４ｂにＷＬＡＮプロファイルが設定されていない場合（つまり、公衆無線基地局２０内に、ＷＬＡＮプロファイルがない場合）には、ＷＬＡＮ用の電源をオフにする（図１の（４）参照）。
【００２２】
このように、この携帯電話端末１０では、ＷＬＡＮ電源を公衆無線基地局エリアにリンクさせて、ＯＮ／ＯＦＦすることで、ＷＬＡＮ圏外における不要なセルサーチの電力を低減し、更に必要な場所では必要なＷＬＡＮプロファイルだけをスキャンさせて、アクセスポイントに入るとすぐに接続可能状態にするようにしたので、上記した主たる特徴のごとく、より安価で簡便に、省電力効果の大きい携帯電話端末を提供することが可能である。
【００２３】
［携帯電話端末１０の構成］
次に、図２を用いて、図１に示した携帯電話端末１０の構成を説明する。図２は、実施例１に係る携帯電話端末１０の構成を示すブロック図である。同図に示すように、この携帯電話端末１０は、第一ＲＦ送受信機１１、第二ＲＦ送受信機１２、制御部１３、記憶部１４を備える。以下にこれらの各部の処理を説明する。
【００２４】
第一ＲＦ送受信機１１は、無線公衆網でＦＯＭＡ無線基地局２０（以下、公衆無線基地局という）を介した無線通信による情報の送受信を行う。第二ＲＦ送受信機１２は、ＷＬＡＮ通信網でＷＬＡＮアクセスポイントを介した無線通信による情報の送受信を行う。
【００２５】
記憶部１４は、制御部１３による各種処理に必要なデータおよびプログラムを格納するが、特に本発明に密接に関連するものとしては、端末位置情報記憶部１４ａ、公衆無線基地局ＷＬＡＮプロファイル関連テーブル１４ｂ、ＷＬＡＮ圏外時のスキャンプロファイル記憶部１４ｃを備える。端末位置情報記憶部１４ａは、後述する端末位置取得部１３ａによって取得された端末位置情報を記憶する。
【００２６】
公衆無線基地局ＷＬＡＮプロファイル関連テーブル１４ｂは、図３に示すように、公衆無線基地局より取得した位置情報と、公衆無線基地局の通信エリア内における無線ＬＡＮアクセスポイント情報である無線ＬＡＮプロファイルの名前と、プロファイル内の無線チャンネルとを対応付けて記憶する。
【００２７】
ＷＬＡＮ圏外時のスキャンプロファイル記憶部１４ｃは、後述する無線プロファイル登録部１３ｃによって設定されたＷＬＡＮ圏外スキャン時のスキャンプロファイルを記憶する。具体的には、ＷＬＡＮ圏外時のスキャンプロファイル記憶部１４ｃは、図４に例示するように、基地局より取得した位置情報とプロファイル名とを対応付けて記憶する。ここで、記憶されたプロファイルがＷＬＡＮ圏外時にスキャンされる。
【００２８】
制御部１３は、各種の処理手順などを規定したプログラムおよび所要データを格納するための内部メモリを有し、これらによって種々の処理を実行するが、特に本発明に密接に関連するものとしては、端末位置取得部１３ａ、端末位置管理部１３ｂ、無線送受信機動作制御部１３ｃ、無線プロファイル登録部１３ｄ、電源制御部１３ｅを備える。
【００２９】
端末位置取得部１３ａは、公衆無線基地局２０から自らの現在位置情報を受信し、保存する。具体的には、携帯電話端末１０は、セルラー方式により、２．５６秒ごとに、位置情報を受信し、端末位置管理部１３ｂに通知する。
【００３０】
端末位置管理部１３ｂは、受信された位置情報を管理する。具体的には、端末位置管理部１３ｂは、図６に示すように、端末位置取得部１３ａから通知された位置情報と、端末位置情報記憶部１４ａに記憶された位置情報とを比較し、同じであれば何もしない。また、端末位置管理部１３ｂは、端末位置情報記憶部１４ａに記憶されている位置情報と異なる場合には、端末から位置情報登録処理（セルラー動作）を開始する。
【００３１】
そして、端末位置管理部１３ｂは、位置情報に基づき、公衆無線基地局ＷＬＡＮプロファイル関連テーブル１４ｂを検索し、取得された位置情報に対応するプロファイル名を読み出す。そして、端末位置管理部１３ｂは、公衆無線基地局に対応するプロファイルがある場合には、読み出されたプロファイル名をＷＬＡＮ圏外スキャン時のスキャンプロファイルとして、ＷＬＡＮ圏外時のスキャンプロファイル記憶部１４ｃに設定する。
【００３２】
無線送受信機動作制御部１３ｃは、ＷＬＡＮ圏外時に、端末位置管理部１３ｂによって設定されたＷＬＡＮプロファイルをスキャンする。具体的には、無線送受信機動作制御部１３ｃは、ＷＬＡＮ圏外時に、圏外スキャン動作を行う際に、ＷＬＡＮ圏外時のスキャンプロファイル記憶部１４ｃを読み出し、ＷＬＡＮプロファイルが記憶されている場合には、読み出されたＷＬＡＮプロファイルをスキャンする。また、無線送受信機動作制御部１３ｃは、ＷＬＡＮプロファイルが設定されていない場合には、電源制御部１３ｅに通知する。なお、ＷＬＡＮプロファイルをスキャンする際に、スキャン間隔を設定する処理を行うが、当該処理については、後に図８を用いて詳細に説明する。
【００３３】
無線プロファイル登録部１３ｄは、位置情報と、プロファイルとを関連付けて公衆無線基地局ＷＬＡＮプロファイル関連テーブル１４ｂに登録する。具体的には、無線プロファイル登録部１３ｄは、図５に示すように、手動操作により入力キーを介して、ＷＬＡＮプロファイルが入力されて完了ボタンが押印され、現在の公衆無線基地局と関連付けて登録することを設定した場合には、端末位置情報から現在値データを取得し、公衆無線基地局ＷＬＡＮプロファイル関連テーブル１４ｂのデータを書き換える。
【００３４】
電源制御部１３ｅは、ＷＬＡＮ圏外時に、公衆無線基地局に対応するプロファイルがない場合には、ＷＬＡＮ電源をオフにするように制御する。具体的には、電源制御部１３ｅは、無線送受信機動作制御部１３ｃからＷＬＡＮプロファイルが設定されていない旨が通知された場合には、ＷＬＡＮ電源をオフにする。
【００３５】
［携帯電話端末による処理］
次に、図７〜図９を用いて、実施例１に係る携帯電話端末１０による処理を説明する。図７は、実施例１に係る携帯電話端末１０のスキャンプロファイル設定処理の動作を示すフローチャートであり、図８は、実施例１に係る携帯電話端末１０のスキャン間隔設定処理の動作を示すフローチャートであり、図９は、実施例１に係る携帯電話端末１０のプロファイル登録処理の動作を示すフローチャートである。
【００３６】
図７に示すように、携帯電話端末１０は、公衆無線基地局より位置情報を受信すると（ステップＳ１０１）、記憶している端末位置情報と同じであるか判定し（ステップＳ１０２）、同じである場合には、何もせずにステップＳ１０１に戻る。一方、携帯電話端末１０は、受信した位置情報と、記憶している位置情報とが異なる場合には、端末から位置登録処理（セルラー動作）を行う（ステップＳ１０３）。
【００３７】
そして、携帯電話端末１０は、ＷＬＡＮ圏外移行フラグが「１」である場合には、「０」へ変更した後（ステップＳ１０４）、公衆無線基地局ＷＬＡＮプロファイル関連テーブル１４ｂを検索し、現在の位置情報に対応するプロファイル名を呼び出す（ステップＳ１０５）。
【００３８】
その結果、携帯電話端末１０は、現在の位置情報に対応するプロファイルがある場合には（ステップＳ１０６肯定）、読み出されたプロファイル名をＷＬＡＮ圏外スキャン時のスキャンプロファイルとして、ＷＬＡＮ圏外時のスキャンプロファイル記憶部１４ｃに設定する（ステップＳ１０７）。
【００３９】
一方、携帯電話端末１０は、公衆無線基地局に対応するプロファイルがない場合には（ステップＳ１０６否定）、ＷＬＡＮの状態を判定する（ステップＳ１０８）。その結果、携帯電話端末１０は、ＷＬＡＮ圏外である場合には、ＷＬＡＮ電源をオフにし（ステップＳ１０９）、ＷＬＡＮ圏外スキャン時のスキャンプロファイルを削除して（ステップＳ１１０）、無駄な消費電力を抑える。
【００４０】
また、携帯電話端末１０は、ＷＬＡＮの状態がＷＬＡＮ圏内である場合には、テーブル自動登録処理を行う（ステップＳ１１１）。ここで、テーブル自動登録の処理動作について、図１４を用いて説明すると、携帯電話端末１０は、端末位置情報から現在地データを取得し（ステップＳ５０１）、現在のＷＬＡＮプロファイルデータをする（ステップＳ５０２）。
【００４１】
そして、携帯電話端末１０は、公衆無線基地局ＷＬＡＮプロファイル関連テーブル１４ｂのデータを書き換える（ステップＳ５０３）。つまり、図１３に示すように、携帯電話端末１０は、ＷＬＡＮ圏内のまま公衆無線基地局のエリアが変わると、自動登録するように制御する。
【００４２】
続いて、スキャン間隔設定処理の動作について図８を用いて説明する。同図に示すように、携帯電話端末１０は、ＷＬＡＮの状態がＷＬＡＮ圏内であるか圏外であるかを判定し（ステップＳ２０１）、圏外であると判定した場合には、ＷＬＡＮ圏外移行フラグを「１」とし（ステップＳ２０２）、ＷＬＡＮ圏外時のスキャンプログラムを呼び出し（ステップＳ２０３）、スキャン間隔設定処理を行う。
【００４３】
携帯電話端末１０は、スキャン間隔設定処理として、ＷＬＡＮ圏外移行フラグが「０」であるか「１」であるか判定し（ステップＳ２０４）、ＷＬＡＮ圏外移行フラグが「１」である場合には、最初は短く徐々に長く、最後は最大スキャン間隔になるように設定する（ステップＳ２０５）。また、携帯電話端末１０は、図７の処理において、ＷＬＡＮ圏外移行フラグが「０」に変更になった場合には、最大スキャン間隔になるように設定する（ステップＳ２０６）。
【００４４】
その後、携帯電話端末１０は、圏外スキャン動作を開始し（ステップＳ２０７）、ＷＬＡＮ圏内であるか圏外であるかを判定し（ステップＳ２０８）、その結果、携帯電話端末１０は、圏外であると判定した場合には、ステップＳ２０３に戻って上記処理（ステップＳ２０３〜Ｓ２０７）を繰り返す。また、携帯電話端末１０は、圏内であると判定した場合には、ＷＬＡＮ圏外移行フラグを「０」として（ステップＳ２０９）、ステップＳ２０１に戻る。
【００４５】
続いて、手動によるプロファイル登録処理の動作について図９を用いて説明する。同図に示すように、携帯電話端末１０は、手動操作により入力キーを介して、ＷＬＡＮプロファイルが入力されて（ステップＳ３０１）、完了ボタンが押印され（ステップＳ３０２）、現在の公衆無線基地局と関連付けて登録することを設定した場合には（ステップＳ３０３肯定）、端末位置情報から現在値データ（例えば、公衆無線基地局ＩＤ）を取得し（ステップＳ３０４）、公衆無線基地局ＷＬＡＮプロファイル関連テーブル１４ｂのデータを書き換える（ステップＳ３０５）。
【００４６】
[実施例１の効果]
上述してきたように、携帯電話端末１０は、入退出管理装置やカードリーダ装置といった設備が不要で、更に公衆網に新たに機能追加することが無いため、安価に実現可能である。また、会社（法人）や個人のＡＰに対しても、一般のホットスポットのようなＡＰでも、その種類に依存することなく使用することが可能である。またＧＰＳによる位置検出も必要ないため、ＷＬＡＮのＯＮ／ＯＦＦ制御に対し余計な電力を消費することもないので、より安価で簡便に実現でき、省電力効果の大きい携帯電話端末を提供することが可能である。
【００４７】
また、実施例１によれば、端末位置情報に関連する無線プロファイルが無い場合には、ＷＬＡＮ電源をＯＦＦにしてスキャン動作を停止するので、省電力効果の大きい携帯電話端末を提供することが可能である。
【００４８】
また、実施例１によれば、ＷＬＡＮ圏内から範囲外になる場合に、スキャン動作の間隔を最初短くし、その後徐々に長くなるように、プロファイルをスキャンし、また、ＷＬＡＮ圏外の状態で、取得された位置情報が変更になり、当該位置情報が記憶されている場合には、スキャン動作の間隔を最初から長くなるように、プロファイルをスキャンするので、端末の状況に応じて、スキャン動作の間隔を最適化することが可能である。
【実施例２】
【００４９】
ところで、上記の実施例１では、公衆無線基地局ＷＬＡＮプロファイル関連テーブル１４ｂにおいて、位置情報に対してプロファイル単位で登録する場合を説明したが、本発明はこれに限定されるものではなく、無線チャネル単位で登録するようにしてもよい。
【００５０】
そこで、以下の実施例２では、公衆無線基地局ＷＬＡＮプロファイル関連テーブル１４ｂにおいて、位置情報に対して無線チャネル単位で登録する場合として、図１０〜図１２を用いて、説明する。図１０は、実施例２における携帯電話端末１０ａが保持する公衆無線基地局ＷＬＡＮプロファイル関連テーブル１４ｂの一例を示す図であり、図１１は、無線チャンネル単位で登録する処理を説明するための図であり、図１２は、実施例２に係る携帯電話端末１０ａの無線チャンネル単位での登録処理の手順を説明するためのフローチャートである。
【００５１】
まず最初に、実施例２に係る携帯電話端末１０ａが保持する公衆無線基地局ＷＬＡＮプロファイル関連テーブル１４ｂの一例を説明する。図１０に示すように、公衆無線基地局ＷＬＡＮプロファイル関連テーブル１４ｂは、実施例１と同様に、基地局より取得した位置情報とプロファイル名とプロファイル内の無線チャンネルとを対応付けて記憶する。そして、実施例１とは異なり、実施例２に係る公衆無線基地局ＷＬＡＮプロファイル関連テーブル１４ｂは、無線チャンネル単位で登録される点が異なる。
【００５２】
つまり、図１１に例示すように、Ｐｒｏｆａｉｌｅ０１では、１から１４までの１４チャネルがあるが、実際にはｃｈ１、ｃｈ６、ｃｈ１１しか使わない場合がある。このような場合に、実施例２に係る携帯電話端末１０ａでは、図１１に示すように、ｃｈ１のＷＬＡＮアクセスポイントからｃｈ６のＷＬＡＮアクセスポイントに移動した場合に、ｃｈ６を自動で公衆無線基地局ＷＬＡＮプロファイル関連テーブル１４ｂに登録する。
【００５３】
ここで、図１２を用いて実施例２に係る携帯電話端末１０ａの無線チャネル単位での登録処理の処理手順を説明する。まず、携帯電話端末１０ａは、ビーコンを受信し（ステップＳ４０１）、受信したビーコンに含まれた情報からアクセスポイントが変更したか否かを判定する（ステップＳ４０２）。その結果、携帯電話端末１０ａは、アクセスポイントが変更した場合には、公衆無線基地局ＷＬＡＮプロファイル関連テーブル１４ｂを呼び出す（ステップＳ４０３）。
【００５４】
そして、携帯電話端末１０ａは、端末位置情報から現在地データを取得し（ステップＳ４０４）、現在のＷＬＡＮプロファイルデータを取得して（ステップＳ４０５）、公衆無線基地局ＷＬＡＮプロファイル関連テーブル１４ｂのデータを書き換える処理（図１２の例では、Ｐｒｏｆｉｌｅ０１にｃｈ６を登録する処理）を行う（ステップＳ４０６）。
【００５５】
このように、上記の実施例２では、実際に使用されるチャネルのみをスキャンするので、より省電力効果の大きい携帯電話端末を提供することが可能である。
【実施例３】
【００５６】
ところで、本発明では、ＷＬＡＮ圏外後に、そのＷＬＡＮ圏外直前のプロファイルが所属する無線公衆基地局内に登録されているプロファイルとチャネルのみをスキャンするようにしてもよい。
【００５７】
そこで、以下の実施例３では、ＷＬＡＮ圏外直前のプロファイルが所属する無線公衆基地局内に登録されているプロファイルとチャネルのみをスキャンする場合として、図１６〜図１８を用いて、実施例３における実施例３における携帯電話端末１０ｂについて説明する。図１６は、実施例３における携帯電話端末１０ｂのＷＬＡＮ圏外後のスキャン処理を説明するための図であり、図１７は、実施例３に係る携帯電話端末１０ｂのＷＬＡＮ圏外後のスキャン処理の手順を示すフローチャートであり、図１８は、実施例３に係る携帯電話端末１０ｂのＷＬＡＮ圏外後の他のスキャン処理の手順を示すフローチャートである。
【００５８】
まず、携帯電話端末１０ｂのＷＬＡＮ圏外後のスキャン処理について図１６の例を用いながら説明する。同図に示すように、携帯電話端末１０ｂは、ＷＬＡＮ圏外直後では、携帯電話端末１０ｂは、テーブルを逆引きして、ＷＬＡＮ圏外直前の「Ｐｒｏｆｉｌｅ０１」が所属する公衆無線基地局に登録されているプロファイルだけをスキャンする（図１６の（１）参照）。
【００５９】
そして、携帯電話端末１０ｂは、一定時間経過後に、全プロファイルをスキャンする（図１６の（２）参照）。なお、上記のようにスキャン対象のプロファイルを二段階で変更する場合の他に、直後は、直近の「Ｐｒｏｆｉｌｅ０１」だけ、その後所属する公衆無線基地局に登録されている「Ｐｒｏｆｉｌｅ０１」および「Ｐｒｏｆｉｌｅ０２」、さらに、全プロファイル、と三段階に変更するようにしてもよい。
【００６０】
次に、実施例３における携帯電話端末１０ｂのＷＬＡＮ圏外後のスキャン処理について図１７および図１８を用いて説明する。図１７は、スキャン対象のプロファイルを二段階で変更する場合のスキャン処理であり、図１８は、スキャン対象のプロファイルを三段階で変更する場合のスキャン処理の説明である。
【００６１】
すなわち、図１７に示すように、携帯電話端末１０ｂは、ＷＬＡＮ圏外になった場合に（ステップＳ６０１圏外）、圏外直前のＷＬＡＮプロファイルを入手し（ステップＳ６０２）、公衆無線基地局ＷＬＡＮプロファイル関連テーブル１４ｂから入手されたプロファイルと対応付けられた公衆無線基地局を特定する（ステップＳ６０３）。
【００６２】
そして、携帯電話端末１０ｂは、特定された公衆無線基地局対応に関連するプロファイルをＷＬＡＮ圏外時のスキャンプロファイルに設定し（ステップＳ６０４）、さらにタイマ１を設定する（ステップＳ６０５）。続いて、携帯電話端末１０ｂは、タイマ１で所定の時間が経過したか判定し（ステップＳ６０６）、経過していない場合には、スキャン間隔を設定する（ステップＳ６０７）。
【００６３】
そして、携帯電話端末１０ｂは、ＷＬＡＮ圏内か圏外かを判定し（ステップＳ６０９）、ＷＬＡＮ圏内であれば、タイマ１をリセットし、ステップＳ６０１の処理に戻り、ＷＬＡＮ圏外であれば、所定の時間経過までステップＳ６０６〜Ｓ６０９の処理を繰り返す。また、携帯電話端末１０ｂは、タイマ１で所定の時間が経過している場合には（ステップＳ６０６肯定）、ＷＬＡＮ圏外時スキャンプロファイルを登録済みの全プロファイルに拡大し（ステップＳ６１０）、スキャン間隔を設定して（ステップＳ６１１）、圏外スキャン動作を開始する（ステップＳ６１２）。
【００６４】
その後、携帯電話端末１０ｂは、ＷＬＡＮ圏内か圏外かを判定し（ステップＳ６１３）、ＷＬＡＮ圏内であれば、タイマ１をリセットし（ステップＳ６１４）、ステップＳ１０１の処理に戻り、ＷＬＡＮ圏外であれば、ステップＳ６１１に戻って処理を繰り返す。
【００６５】
次に、図１８を用いて、スキャン対象のプロファイルを三段階で変更する場合のスキャン処理を説明する。同図に示すように、携帯電話端末１０ｂは、ＷＬＡＮ圏外になった場合に（ステップＳ７０１圏外）、タイマ１を設定し（ステップＳ７０２）、一定時間経過したか判定し（ステップＳ７０３）、一定時間経過していない場合には、スキャン間隔を設定し（ステップＳ７０４）、圏外直前のプロファイルのスキャン動作を開始する（ステップＳ７０５）。そして、携帯電話端末１０ｂは、ＷＬＡＮ圏内か圏外かを判定し（ステップＳ７０６）、ＷＬＡＮ圏内であれば、ステップＳ７０１の処理に戻り、ＷＬＡＮ圏外であれば、所定の時間経過までステップＳ７０３〜Ｓ７０６の処理を繰り返す。
【００６６】
また、携帯電話端末１０ｂは、タイマ１で所定の時間が経過した場合には（ステップＳ７０３肯定）、タイマ２を設定し（ステップＳ７０７）、タイマ２を設定して一定時間経過したかを判定する（ステップＳ７０８）。そして、携帯電話端末１０ｂは、タイマ２を設定して一定時間経過していない場合には（ステップＳ７０８否定）、ＷＬＡＮ圏外時のスキャンプロファイルの呼び出しを行い（ステップＳ７０９）、スキャン間隔を設定して（ステップＳ７１０）、圏外スキャン動作を開始する（ステップＳ７１１）。
【００６７】
そして、携帯電話端末１０ｂは、ＷＬＡＮ圏内か圏外かを判定し（ステップＳ７１２）、ＷＬＡＮ圏内であれば、ステップＳ７０１の処理に戻り、ＷＬＡＮ圏外であれば、所定の時間経過までステップＳ７０８〜Ｓ７１２の処理を繰り返す。
【００６８】
一方、携帯電話端末１０ｂは、タイマ２を設定して一定時間経過した場合には（ステップＳ７０８肯定）、ＷＬＡＮ圏外時のスキャンプロファイルを登録済みの全プロファイルに拡大し（ステップＳ７１３）、スキャン間隔を設定して（ステップＳ７１４）、圏外スキャン動作を開始する（ステップＳ７１５）。
【００６９】
その後、携帯電話端末１０ｂは、ＷＬＡＮ圏内か圏外かを判定し（ステップＳ７１６）、ＷＬＡＮ圏内であれば、ステップＳ７０１の処理に戻り、ＷＬＡＮ圏外であれば、所定の時間経過までステップＳ７１４〜Ｓ７１６の処理を繰り返す。
【００７０】
このように実施例３によれば、ＷＬＡＮ圏外直後は、ＷＬＡＮ圏外直前のプロファイルが所属する無線公衆基地局内に登録されているプロファイルとチャネルのみをスキャンするので、ＷＬＡＮ圏外直後にすぐにＷＬＡＮ圏内に戻ってきた場合に、再接続のレスポンスが向上するとともに、省電力効果の大きい携帯電話端末を提供することが可能である。
【００７１】
また、経過時間に応じて、スキャン対象のプロファイルを変更するので、例えば、ＷＬＡＮ圏外直後は、同じＷＬＡＮ圏内に戻ってくる可能性が高いので、直前のプロファイルをスキャンし、また、所定の時間経過後は、どのＷＬＡＮ圏内に戻るか分からないので、全てのプロファイルをスキャンする結果、再接続のレスポンスが向上するとともに、省電力効果の大きい携帯電話端末を提供することが可能である。
【実施例４】
【００７２】
ところで、上記の実施例１〜３では、ＷＬＡＮ圏外時の場合のみ、スキャンプロファイルに設定されたＷＬＡＮプロファイルをスキャンする場合を説明したが、本発明はこれに限定されるものではなく、ＷＬＡＮ圏内時であっても、受信強度が所定の閾値以下である場合には、設定されたＷＬＡＮプロファイルをスキャンするようにしてもよい。
【００７３】
つまり、従来の携帯電話では、図２１に示すように、ＷＬＡＮ−ＡＰのエリア外（ＷＬＡＮ圏外）だけでなく、ＷＬＡＮ圏内時であっても、電界強度が所定の閾値以下である場合（つまり、図２１の例では、電界強度がＡ〜Ｂの間にある場合）には、通信しながら次のアクセスポイントを探すスキャン動作を約５秒間隔で行っている。ここで、従来の携帯電話では、登録されている全プロファイルをスキャンしてしまう。
【００７４】
そこで、以下の実施例４に係る携帯電話１０ｃでは、図２２に示すように、ＷＬＡＮ圏外時の場合だけでなく、ＷＬＡＮ圏内時であって電界強度が所定の閾値以下である場合にも、スキャンプロファイルに設定されたＷＬＡＮプロファイルのみをスキャンするようにし、スキャンするプロファイル数を最適化する。以下では、実施例４に係る携帯電話１０ｃについて説明する。なお、実施例１〜３と同様の処理については省略する。
【００７５】
図２２の例を具体的に説明すると、図２２に示す電界強度「Ａ」は、現在接続中のアクセスポイントがあり、別のアクセスポイントを探索するスキャン動作を開始する受信強度レベルとする。また、図２２に示す電界強度「Ｂ」は、現在接続中のアクセスポイントとの通信の継続を維持できない受信強度レベルとする。
【００７６】
実施例４に係る携帯電話１０ｃでは、電界強度「Ａ」が第一閾値、電界強度「Ｂ」が第二閾値として設定されている。そして、携帯電話１０ｃは、受信強度レベルが受信強度レベル「Ａ」以下に低下した場合には、現在のＷＬＡＮプロファイルが所属する基地局に対応付けられて記憶されたプロファイルのみをスキャンする。
【００７７】
なお、携帯電話１０ｃは、受信強度レベルが受信強度レベル「Ｂ」以下となった場合（ＷＬＡＮ圏外となった場合）には、実施例１〜３と同様に、ＷＬＡＮ圏外時のスキャンプロファイルに設定されたＷＬＡＮプロファイルのみをスキャンする。
【００７８】
次に、実施例４における携帯電話端末１０ｃのＷＬＡＮ圏のスキャン処理について図２３を用いて説明する。図２３は、実施例４に係る携帯電話端末１０ｃの受信強度が閾値以下に低下した場合のスキャン処理の手順を示すフローチャートである。
【００７９】
図２３に示すように、携帯電話端末１０ｃは、無線ＬＡＮアクセスポイントからの受信強度が、第一閾値（図２２の例では、受信強度レベル「Ａ」に相当）以下であるか判定する（ステップＳ８０１）。その結果、携帯電話端末１０ｃは、無線ＬＡＮアクセスポイントからの受信強度が第一閾値以下であると判定した場合には、現在のＷＬＡＮプロファイルを入手し（ステップＳ８０２）、公衆無線基地局ＷＬＡＮプロファイル関連テーブルから入手されたプロファイルと対応付けられた公衆無線基地局を特定する（ステップＳ８０３）。
【００８０】
そして、携帯電話端末１０ｃは、特定された公衆無線基地局対応に関連するプロファイルをＷＬＡＮ―ＡＰ探索時のスキャンプロファイルに設定する（ステップＳ８０４）。続いて、携帯電話端末１０ｃは、無線ＬＡＮアクセスポイントからの受信強度が、第二閾値（図２２の例では、受信強度レベル「Ｂ」に相当）以下であるか判定する（ステップＳ８０５）。
【００８１】
その結果、携帯電話端末１０ｃは、無線ＬＡＮアクセスポイントからの受信強度が、第一閾値以下でないと判定した場合には、スキャン間隔を設定し（ステップＳ８０６）、通信しながら次の無線ＬＡＮアクセスポイントを探す圏内スキャン動作を行う（ステップＳ８０７）。
【００８２】
そして、携帯電話端末１０ｃは、ＷＬＡＮ圏内か圏外かを判定し（ステップＳ８０８）、ＷＬＡＮ圏外である場合には、ステップＳ８０７に戻って圏内スキャン動作を繰り返し、ＷＬＡＮ圏内である場合には、ステップＳ８０１に戻って、上記の処理を繰り返す。
【００８３】
一方、携帯電話端末１０ｃは、ステップＳ８０５において、無線ＬＡＮアクセスポイントからの受信強度が、第一閾値以下であると判定した場合には、タイマ１を設定する（ステップＳ８０９）。続いて、携帯電話端末１０ｃは、タイマ１で所定の時間が経過したか判定し（ステップＳ８１０）、経過していない場合には、スキャン間隔を設定する（ステップＳ８１１）。
【００８４】
そして、携帯電話端末１０ｃは、ＷＬＡＮ圏内か圏外かを判定し（ステップＳ８１３）、ＷＬＡＮ圏内であれば、タイマ１をリセットし（ステップＳ８１８）、ステップＳ８０１の処理に戻り、ＷＬＡＮ圏外であれば、所定の時間経過までステップＳ８１０〜Ｓ８１３の処理を繰り返す。
【００８５】
また、携帯電話端末１０ｃは、ステップＳ８１０において、タイマ１で所定の時間が経過している場合には、ＷＬＡＮ圏外時スキャンプロファイルを登録済みの全プロファイルに拡大し（ステップＳ８１４）、スキャン間隔を設定して（ステップＳ８１５）、圏外スキャン動作を開始する（ステップＳ８１６）。
【００８６】
その後、携帯電話端末１０ｃは、ＷＬＡＮ圏内か圏外かを判定し（ステップＳ８１７）、ＷＬＡＮ圏内であれば、タイマ１をリセットし（ステップＳ８１８）、ステップＳ８０１の処理に戻り、ＷＬＡＮ圏外であれば、ステップＳ８１５に戻って上記処理を繰り返す。
【００８７】
このように実施例４によれば、携帯電話端末１０ｃは、ＷＬＡＮ圏外時の場合だけでなく、ＷＬＡＮ圏内時であって電界強度が所定の閾値以下である場合にも、スキャンプロファイルに設定されたＷＬＡＮプロファイルのみをスキャンするようにし、スキャンするプロファイル数を最適化する。このため、携帯電話端末１０ｃは、通信しながら次のアクセスポイントを探すスキャン動作を全プロファイルに対して行う必要が無く、省電力効果の大きい携帯電話端末を提供することが可能である。
【００８８】
また、携帯電話端末１０ｃは、無線ＬＡＮアクセスポイントからの受信強度が、ある閾値以下に低下した場合に、当該無線ＬＡＮアクセスポイント受信強度低下の直前の無線ＬＡＮプロファイルが所属する基地局に対応付けられて記憶されたプロファイルのみをスキャンする。このため、再接続のレスポンスが向上するとともに、省電力効果の大きい携帯電話端末を提供することが可能である。
【実施例５】
【００８９】
さて、これまで本発明の実施例について説明したが、本発明は上述した実施例以外にも、種々の異なる形態にて実施されてよいものである。そこで、以下では実施例５として本発明に含まれる他の実施例を説明する。
【００９０】
（１）システム構成等
本実施例において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。
【００９１】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【００９２】
なお、本実施例で説明した無線通信端末制御方法は、あらかじめ用意されたプログラムをパーソナルコンピュータやワークステーションなどのコンピュータで実行することによって実現することができる。このプログラムは、インターネットなどのネットワークを介して配布することができる。また、このプログラムは、ハードディスク、フレキシブルディスク（ＦＤ）、ＣＤ−ＲＯＭ、ＭＯ、ＤＶＤなどのコンピュータで読み取り可能な記録媒体に記録され、コンピュータによって記録媒体から読み出されることによって実行することもできる。
【００９３】
以上の実施例１〜５を含む実施形態に関し、更に以下の付記を開示する。
【００９４】
（付記１）無線公衆網で基地局を介して通信する第一の無線通信と、当該無線公衆網より狭い範囲の無線ＬＡＮ通信網で無線ＬＡＮアクセスポイントを介して通信する第二の無線通信とを行う無線通信端末であって、
前記基地局から送られてくる位置情報と、当該基地局の通信エリア内における無線ＬＡＮアクセスポイント情報である無線ＬＡＮプロファイルとを対応付けて記憶する基地局プロファイル記憶手段と、
前記基地局から自らの現在位置情報を受信し、保存する現在位置情報取得保存手段と、
前記現在位置取得保存手段によって取得された前記現在位置情報に対応する無線ＬＡＮプロファイルを前記基地局プロファイル記憶手段から読み出し、当該無線ＬＡＮプロファイルを設定する無線プロファイル設定手段と、
前記無線ＬＡＮアクセスポイント通信圏外にいる場合に、前記無線プロファイル設定手段によって設定された前記無線ＬＡＮプロファイルをスキャンする無線プロファイルスキャン手段と、
を備えることを特徴とする無線通信端末。
【００９５】
（付記２）前記現在位置情報取得保存手段によって取得された前記現在位置情報に対応する無線ＬＡＮプロファイルが前記基地局プロファイル記憶手段に記憶されておらず、前記無線ＬＡＮアクセスポイント範囲外にいる場合には、前記第二の無線通信用の電源をオフにするように制御する電源制御手段をさらに備えることを特徴とする付記１に記載の無線通信端末。
【００９６】
（付記３）前記基地局プロファイル記憶手段は、前記位置情報と、当該基地局の通信エリア内における無線ＬＡＮアクセスポイント情報である無線ＬＡＮプロファイル内の通信チャネル単位で対応付けて記憶することを特徴とする付記１または２に記載の無線通信端末。
【００９７】
（付記４）無線ＬＡＮアクセスポイント範囲内のまま前記基地局の通信エリアが変わった場合に、変わった位置情報と、無線ＬＡＮプロファイルとを自動登録する自動登録手段をさらに備えることを特徴とする付記１〜３のいずれか一つに記載の無線通信端末。
【００９８】
（付記５）前記無線プロファイルスキャン手段は、前記無線ＬＡＮアクセスポイント通信圏内から通信圏外になる場合に、スキャン動作の間隔を最初短くし、その後徐々に長くなるように、前記無線ＬＡＮプロファイルをスキャンし、また、前記無線ＬＡＮアクセスポイント通信圏外の状態で、前記現在位置情報取得保存手段によって取得された現在位置情報が変更になり、当該現在位置情報に対応した無線ＬＡＮプロファイルが前記基地局プロファイル記憶手段に記憶されている場合には、スキャン動作の間隔を最初から長くなるように、前記無線ＬＡＮプロファイルをスキャンすることを特徴とする付記１〜４のいずれか一つに記載の無線通信端末。
【００９９】
（付記６）前記無線プロファイルスキャン手段は、無線ＬＡＮアクセスポイント通信圏外になった場合に、当該無線ＬＡＮアクセスポイント通信圏外直前の無線ＬＡＮプロファイルが所属する基地局に対応付けられて記憶されたプロファイルのみをスキャンすることを特徴とする付記１〜５のいずれか一つに記載の無線通信端末。
【０１００】
（付記７）前記無線プロファイルスキャン手段は、前記無線ＬＡＮアクセスポイント通信圏外直前の無線ＬＡＮプロファイルが所属する基地局に対応付けられて記憶されたプロファイルのみを所定時間スキャンした後は、前記基地局プロファイル記憶手段に記憶された全プロファイルをスキャンすることを特徴とする付記６に記載の無線通信端末。
【０１０１】
（付記８）前記無線プロファイルスキャン手段は、前記無線ＬＡＮアクセスポイント通信圏外直前の無線ＬＡＮプロファイルのみを所定時間スキャンし、その後、前記無線ＬＡＮアクセスポイント通信圏外直前の無線ＬＡＮプロファイルが所属する基地局に対応付けられて記憶されたプロファイルのみを所定時間スキャンし、その後、基地局プロファイル記憶手段に記憶された全プロファイルをスキャンすることを特徴とする付記１〜７のいずれか一つに記載の無線通信端末。
【０１０２】
（付記９）無線公衆網で基地局を介して通信する第一の無線通信と、当該無線公衆網より狭い範囲の無線ＬＡＮ通信網で無線ＬＡＮアクセスポイントを介して通信する第二の無線通信とを行う無線通信端末制御方法であって、
前記基地局から送られてくる位置情報と、当該基地局の通信エリア内における無線ＬＡＮアクセスポイント情報である無線ＬＡＮプロファイルとを対応付けて基地局プロファイル記憶部に記憶する基地局プロファイル記憶ステップと、
前記基地局から自らの現在位置情報を受信し、保存する現在位置情報取得保存ステップと、
前記現在位置取得保存ステップによって取得された前記現在位置情報に対応する無線ＬＡＮプロファイルを前記基地局プロファイル記憶部から読み出し、当該無線ＬＡＮプロファイルを設定する無線プロファイル設定ステップと、
前記無線ＬＡＮアクセスポイント通信圏外にいる場合に、前記無線プロファイル設定ステップによって設定された前記無線ＬＡＮプロファイルをスキャンする無線プロファイルスキャンステップと、
を含んだことを特徴とする無線通信端末制御方法。
【０１０３】
（付記１０）無線公衆網で基地局を介して通信する第一の無線通信と、当該無線公衆網より狭い範囲の無線ＬＡＮ通信網で無線ＬＡＮアクセスポイントを介して通信する第二の無線通信とを行う無線通信端末制御方法をコンピュータに実行させる無線通信端末制御プログラムであって、
前記基地局から送られてくる位置情報と、当該基地局の通信エリア内における無線ＬＡＮアクセスポイント情報である無線ＬＡＮプロファイルとを対応付けて基地局プロファイル記憶部に記憶する基地局プロファイル記憶手順と、
前記基地局から自らの現在位置情報を受信し、保存する現在位置情報取得保存手順と、
前記現在位置取得保存手順によって取得された前記現在位置情報に対応する無線ＬＡＮプロファイルを前記基地局プロファイル記憶部から読み出し、当該無線ＬＡＮプロファイルを設定する無線プロファイル設定手順と、
前記無線ＬＡＮアクセスポイント通信圏外にいる場合に、前記無線プロファイル設定手順によって設定された前記無線ＬＡＮプロファイルをスキャンする無線プロファイルスキャン手順と、
をコンピュータに実行させることを特徴とする無線通信端末制御プログラム。
【産業上の利用可能性】
【０１０４】
以上のように、本発明に係る無線通信端末、無線通信端末制御方法および無線通信端末制御プログラムは、無線公衆網で基地局を介して通信する第一の無線通信と、当該無線公衆網より狭い範囲の無線ＬＡＮ通信網で無線ＬＡＮアクセスポイントを介して通信する第二の無線通信とを行う場合に有用であり、特に、安価で簡便に実現でき、省電力効果の大きい携帯電話端末を提供することに適する。
【符号の説明】
【０１０５】
１０、１０ａ、１０ｃ  携帯電話端末
１１  第一ＲＦ送受信機
１２  第二ＲＦ送受信機
１３  制御部
１３ａ  端末位置取得部
１３ｂ  端末位置管理部
１３ｃ  無線送受信機動作制御部
１３ｄ  無線プロファイル登録部
１３ｅ  電源制御部
１４  記憶部
１４ａ  端末位置情報記憶部
１４ｂ  公衆無線基地局ＷＬＡＮプロファイル関連テーブル
１４ｃ  ＷＬＡＮ圏外時のスキャンプロファイル記憶部
２０  公衆無線基地局
【図１】
0005316019.tif 000002
【図２】
0005316019.tif 000003
【図３】
0005316019.tif 000004
【図４】
0005316019.tif 000005
【図５】
0005316019.tif 000006
【図６】
0005316019.tif 000007
【図７】
0005316019.tif 000008
【図８】
0005316019.tif 000009
【図９】
0005316019.tif 000010
【図１０】
0005316019.tif 000011
【図１１】
0005316019.tif 000012
【図１２】
0005316019.tif 000013
【図１３】
0005316019.tif 000014
【図１４】
0005316019.tif 000015
【図１５】
0005316019.tif 000016
【図１６】
0005316019.tif 000017
【図１７】
0005316019.tif 000018
【図１８】
0005316019.tif 000019
【図１９】
0005316019.tif 000020
【図２０】
0005316019.tif 000021
【図２１】
0005316019.tif 000022
【図２２】
0005316019.tif 000023
【図２３】
0005316019.tif 000024